(57)【要約】【課題】ビスによる止め部を減らし、桟材の取り付け作業性を向上させるようにする。【解決手段】アルミの押し出しにより作られた断面形状が矩形の桟材とこの桟材に対して直角に向く枠材との連結構造において、前記桟材１の短辺側の１組の対向板部１ａ，１ａの一方の板部１ａ内面にタッピングビス用ボス５が一体に形成されており、前記桟材１の端部が当接する下枠３の上端板部３ａには桟材１の短辺側の他方の板部１ａに近い位置で桟材１の長辺側の対向板部１ｂ，１ｂに両側部が当接するように切起こし片３ｃが形成されてあり、桟材１を下枠３の上端板部３ａに当てがったとき切起こし片３ｃが桟材１の端部に嵌入するとともに切起こし片３ｃの両側部が桟材１の長辺側の対向板部１ｂ，１ｂに当接し、かかる状態で下枠３に桟材１を１本のタッピングビス４で止めるように構成した。【選択図】    図５
2005264952.tif 000002
【特許請求の範囲】
【請求項１】
アルミの押し出しにより作られた断面形状が矩形の桟材とこの桟材に対して直角に向く枠材との連結構造において、前記桟材の１組の対向板部の一方の板部内面にタッピングビス用ボスが一体に形成されており、前記桟材の端部が当接する枠材の板部には桟材の１組の対向板部の他方の板部に近い位置で桟材の他の組の対向板部に両側部が当接するように切起こし片が形成されてあり、桟材を枠材の板部に当てがったとき切起こし片が桟材の端部に嵌入するとともに切起こし片の両側部が桟材の他の組の対向板部に当接し、かかる状態で枠材に桟材を１本のタッピングビスで止めるように構成したことを特徴とする桟材の連結構造。
【請求項２】
アルミの押し出しにより作られた断面形状が矩形の桟材とこの桟材に対して直角に向く枠材との連結構造において、前記桟材の１組の対向板部の一方の板部内面にタッピングビス用ボスが一体に形成されており、前記桟材の端部が当接する枠材の板部には桟材の他の組の対向板部の少なくとも一方の板部に近い位置で桟材の１組の対向板部に両側部が当接するように切起こし片が形成されてあり、桟材を枠材の板部に当てがったとき切起こし片が桟材の端部に嵌入するとともに切起こし片の両側部が桟材の１組の対向板部に当接し、かかる状態で枠材に桟材を１本のタッピングビスで止めるように構成したことを特徴とする桟材の連結構造。
【請求項３】
切起こし片の両側部を先端側より枠材の板部との付け根側に向って緩やかな角度で傾斜させ、かつ枠材の板部との付け根での切起こし片の両側部間の幅を桟材の他の組の対向板部間の幅より極く僅かに大きくしてあることを特徴とする請求項１または２記載の桟材の連結構造。
【発明の詳細な説明】
【技術分野】
【０００１】
本発明は、例えばバルコニーの上下方向に向く手摺子や面格子に使用される桟材の連結構造に関するものである。
【背景技術】
【０００２】
従来、例えばバルコニーの上下方向に向く手摺子を構成する桟材はその上下両端で水平に位置する上枠および下枠に対しそれぞれ２本のビスにより連結固定されている。詳しくは、桟材は断面形状が矩形であり、その１組の対向板部において上枠および下枠に対しそれぞれ２本のビスにより連結固定されている。つまり、桟材が上枠および下枠に対しそれぞれ１本のビスにより止められていると、桟材がビスによる結合部を中心として回ってしまう恐れがあるので、２本のビスにより止める必要があるのである。
【発明の開示】
【発明が解決しようとする課題】
【０００３】
従来のバルコニーの手摺子取り付け部の構成では、桟材をその上下両端で水平に位置する上枠および下枠に対しそれぞれ２本のビスにより連結固定しており、桟材の取り付け作業性に問題があった。
【０００４】
本発明の目的は、このような課題を解決するものであり、ビスによる止め部を減らし、桟材の取り付け作業性を向上させるようにした桟材の連結構造を提供することにある。
【課題を解決するための手段】
【０００５】
本発明の請求項１に記載の桟材の連結構造は、アルミの押し出しにより作られた断面形状が矩形の桟材とこの桟材に対して直角に向く枠材との連結構造において、前記桟材の１組の対向板部の一方の板部内面にタッピングビス用ボスが一体に形成されており、前記桟材の端部が当接する枠材の板部には桟材の１組の対向板部の他方の板部に近い位置で桟材の他の組の対向板部に両側部が当接するように切起こし片が形成されてあり、桟材を枠材の板部に当てがったとき切起こし片が桟材の端部に嵌入するとともに切起こし片の両側部が桟材の他の組の対向板部に当接し、かかる状態で枠材に桟材を１本のタッピングビスで止めるように構成したことを特徴とする。
【０００６】
請求項２に記載の桟材の連結構造は、アルミの押し出しにより作られた断面形状が矩形の桟材とこの桟材に対して直角に向く枠材との連結構造において、前記桟材の１組の対向板部の一方の板部内面にタッピングビス用ボスが一体に形成されており、前記桟材の端部が当接する枠材の板部には桟材の他の組の対向板部の少なくとも一方の板部に近い位置で桟材の１組の対向板部に両側部が当接するように切起こし片が形成されてあり、桟材を枠材の板部に当てがったとき切起こし片が桟材の端部に嵌入するとともに切起こし片の両側部が桟材の１組の対向板部に当接し、かかる状態で枠材に桟材を１本のタッピングビスで止めるように構成したことを特徴とする。
【０００７】
請求項３に記載の桟材の連結構造は、切起こし片の両側部を先端側より枠材の板部との付け根側に向って緩やかな角度で傾斜させ、かつ枠材の板部との付け根での切起こし片の両側部間の幅を桟材の他の組の対向板部間の幅より極く僅かに大きくしてあることを特徴とする。
【発明の効果】
【０００８】
以上のように、本発明の桟材の連結構造は、枠材の板部側に設けた切起こし片の両側部が桟材の対向板部に当接すること、桟材の１組の対向板部の一方の板部内面に形成されたタッピングビス用ボスの位置で桟材の端部を枠材の板部にタッピングビスで止めることにより桟材とこの桟材に対して直角に向く枠材との連結が行なえ、この連結に必要なビス止め部が少なくなり、桟材の取り付け作業性を向上させることができる。
【発明を実施するための最良の形態】
【０００９】
以下、本発明の実施の形態について、図面に基づいて説明する。
先ず、第１の実施の形態について図１〜図５に基づき説明すると、１はアルミの押し出しにより作られた断面形状が矩形の上下方向に向く桟材で、この桟材１の短辺側の１組の対向板部１ａ，１ａの一方の板部１ａ側においてアルミの押し出しにより作られた断面形状が凵状の上枠２および断面形状が冂状の下枠３に対しそれぞれ１本のタッピングビス４により連結固定されている。詳しくは桟材１の短辺側の１組の対向板部１ａ，１ａの一方の板部１ａ内面にはタッピングビス４をねじ込むためのボス５が桟材１の長さ方向に連続状態で一体に形成されており、上枠２の下端板部２ａおよび下枠３の上端板部３ａに直角に向く桟材１の上下両端面を当接させて上枠２の下端板部２ａおよび下枠３の上端板部３ａに形成されたビス挿通孔２ｂおよび３ｂよりボス５にタッピングビス４をねじ込むことにより上枠２および下枠３に対して桟材１が連結される。ところで、桟材１の上下をそれぞれ１本のタッピングビス４で止めるだけでは上枠２および下枠３に対して桟材１がタッピングビス４による結合部を中心として回ってしまう恐れがある。そこで、本実施の形態では上枠２の下端板部２ａおよび下枠３の上端板部３ａ側の桟材１取り付け位置において桟材１の短辺側の他方の板部１ａに近い位置で桟材１の長辺側の１組の対向板部１ｂ，１ｂに両側部が当接するように切起こし片２ｃおよび３ｃを形成してあり、桟材１を上枠２の下端板部２ａおよび下枠３の上端板部３ａに当てがったとき切起こし片２ｃおよび３ｃが桟材１の上下両端に嵌入するとともに切起こし片２ｃおよび３ｃの両側部が桟材１の長辺側の１組の対向板部１ｂ，１ｂに当接し、かかる状態で上枠２および下枠３に桟材１をそれぞれ１本のタッピングビス４で止めることにより桟材１がタッピングビス４による結合部を中心として回ることなく上枠２および下枠３に連結固定されることになる。なお、上枠２の下端板部２ａおよび下枠３の上端板部３ａに切起こし片２ｃおよび３ｃを形成するために上枠２の下端板部２ａおよび下枠３の上端板部３ａには開口２ｄおよび３ｄが形成されることになるが、この開口２ｄおよび３ｄは桟材１の周囲の板部１ａ，１ａ、１ｂ，１ｂにより隠れるようになる。さらに、切起こし片２ｃおよび３ｃの両側部を先端側より上枠２の下端板部２ａおよび下枠３の上端板部３ａとの付け根側に向って緩やかな角度で傾斜させ、かつ上枠２の下端板部２ａおよび下枠３の上端板部３ａとの付け根での切起こし片２ｃおよび３ｃの両側部間の幅を桟材１の長辺側の１組の対向板部１ｂ，１ｂ間の幅より極く僅かに大きくしておくことにより、切起こし片２ｃおよび３ｃを桟材１の上下両端に嵌入させる際、切起こし片２ｃおよび３ｃをガイドとして桟材１を上枠２の下端板部２ａおよび下枠３の上端板部３ａに当てがうことができるとともに最終的に切起こし片２ｃおよび３ｃの付け根での両側部が桟材１の上下両端における長辺側の１組の対向板部１ｂ，１ｂ内面に食い込み、桟材１を上枠２および下枠３に対してがたつくことなく連結固定することができる。
【００１０】
次に、図６に示す第２の実施の形態について説明すると、この実施の形態では桟材１の長辺側の１組の対向板部１ｂ，１ｂの一方の板部１ｂ内面中央部にはタッピングビス４をねじ込むためのボス６が桟材１の長さ方向に連続状態で一体に形成されており、前記桟材１の端部が当接する下枠３の上端板部３ａ（および上枠２の下端板部２ａ）には桟材１の短辺側の１組の対向板部１ａ，１ａに近い位置で桟材１の長辺側の１組の対向板部１ｂ，１ｂに両側部が当接するように２つの切起こし片３ｃが形成されてあり、桟材１を下枠３の上端板部３ａ（および上枠２の下端板部２ａ）に当てがったとき切起こし片３ｃが桟材１の端部に嵌入するとともに切起こし片３ｃの両側部が桟材１の長辺側の１組の対向板部１ｂ，１ｂに当接し、かかる状態で下枠３（および上枠２）に桟材１を１本のタッピングビス４で止めるように構成されていることにより桟材１がタッピングビス４による結合部を中心として回ることなく下枠３（および上枠２）に連結固定されることになる。なお、この第２の実施の形態において、切起こし片３ｃを１つとして、この切起こし片３ｃの両側部を桟材１の短辺側の１組の対向板部１ａ，１ａの一方の板部１ａに近い位置で桟材１の長辺側の１組の対向板部１ｂ，１ｂに当接させるようにしても桟材１の回り止め効果が得られる。
【００１１】
以上、図面に示す実施の形態について述べたが、本発明はバルコニーの上下方向に向く手摺子や面格子などに使用される桟材の連結部に採用することができる。また、上記と同様の方法により水平方向に向く桟材の端部と上下方向に向く枠材との連結を行なうこともできる。
【図面の簡単な説明】
【００１２】
【図１】本発明の第１の実施の形態における桟材の断面図である。
【図２】同上枠の桟材取り付け位置の要部拡大斜視図である。
【図３】同下枠の桟材取り付け位置の要部拡大斜視図である。
【図４】同上枠および下枠に桟材を取り付けた状態を示す側面図である。
【図５】図４のＸ−Ｘ断面図である。
【図６】本発明の第２の実施の形態における桟材の取り付け部の断面図である。
【符号の説明】
【００１３】
１            桟材
１ａ，１ｂ    板部
２            上枠
２ａ          下端板部
２ｂ          ビス挿通孔
２ｃ          切起こし片
２ｄ          開口
３            下枠
３ａ          上端板部
３ｂ          ビス挿通孔
３ｃ          切起こし片
３ｄ          開口
４            タッピングビス
５，６        ボス
【図１】
2005264952.tif 000003
【図２】
2005264952.tif 000004
【図３】
2005264952.tif 000005
【図４】
2005264952.tif 000006
【図５】
2005264952.tif 000007
【図６】
2005264952.tif 000008